(57)【特許請求の範囲】
【請求項１】
１台のホスト機器に接続されていると共に同一のデータ信号をディスクに記録し、且つ、記録位置が該ディスクの所定の位置に移動したときに記録線速度を高速側へ変更するように構成された複数の光ディスク記録再生装置の記録制御方法であって、
前記記録位置が前記ディスクの前記所定の位置に移動したときに、各光ディスク記録再生装置の前記記録線速度を前記高速側へ変更可能か否かを判定させ、
該記録線速度が最も遅い光ディスク記録再生装置の機能に合わせて全ての光ディスク記録再生装置の記録動作を制御させることを特徴とする光ディスク記録再生装置の記録制御方法。
【請求項２】
各光ディスク記録再生装置の前記記録線速度の前記高速側への変更が可能か否かの判定動作を、該記録線速度を変更するために行われる記録中断時に行うことを特徴とする請求項１記載の光ディスク記録再生装置の記録制御方法。
【請求項３】
少なくとも何れか１つの前記光ディスク記録再生装置に対して前記記録線速度の変更が不可であると判定されたときに、全ての光ディスク記録再生装置の該記録線速度を変更することなく前記記録動作を再開させることを特徴とする請求項２記載の光ディスク記録再生装置の記録制御方法。
【発明の詳細な説明】
【０００１】
【発明の属する技術分野】
本発明は、光学式ピックアップより照射されるレーザによってディスクに信号を記録させると共にレーザによってディスクに記録されている信号の再生動作を行わせるように構成された光ディスク記録再生装置の記録制御方法に関する。
【０００２】
【従来の技術】
光学式ピックアップを用いてディスクに記録されている信号の読出し動作を行うディスクプレーヤが普及されているが、最近では、再生機能に加えて光学式ピックアップより照射されるレーザによってディスクに信号を記録させることができるように構成された光ディスク記録再生装置が商品化されている。
【０００３】
【発明が解決しようとする課題】
光ディスク記録再生装置では、ホスト機器であるコンピューター装置からの記録命令にしたがって信号の記録動作を行うように構成されているが、斯かる記録動作は、ディスクに記録させる信号を一旦バッファ用ＲＡＭに記憶させ、このバッファ用ＲＡＭに記憶されている信号を読み出すことによって、ディスクへ信号の記録動作を行うように構成されている。
【０００４】
ディスクへの信号の記録動作が正常に行われている状態では、コンピューター装置より出力される記録信号のバッファ用ＲＡＭへの書込み動作およびこのバッファ用ＲＡＭからの信号の読出し動作、そして読み出された信号のディスクへの記録動作が、記録信号の量やディスクへの記録状況に対応して行われる。
【０００５】
信号の記録動作が行われている状態において、バッファ用ＲＡＭに記憶されている記録信号の量が不足すると、ディスクへの信号の記録動作が行えない状態いわゆるバッファアンダーランと呼ばれる状況になる。斯かる問題を解決する方法として、バッフア用ＲＡＭに記憶されている記録信号の量が所定値中断設定値以下になると、ディスクへの記録動作を一旦停止させ、バッファ用ＲＡＭに記憶されている記録信号の量が所定値すなわち再開設定値より多くなったときに、ディスクへの記録動作を再開させるようにした技術が開発されている。
【０００６】
バッファアンダーランの問題を解決する方法として、記録中断動作および記録再開動作を行わせる方法があるが、記録再開動作は、記録中断前にディスクに記録されている信号を再生させ、その再生された信号に基づいて行われるように構成されている。
【０００７】
光ディスク記録再生装置におけるディスクへの記録動作は、線速度一定の状態にて行われるが、ディスクを線速度一定の状態にて回転駆動する場合、ディスクの内周側の方が外周側よりもディスクの回転角速度が高速になる。従って、ディスクの内周側から外周まで同一の高速の線速度一定にて回転駆動することは困難である。斯かる問題を解決する方法として、ディスクの内周側より外周側に記録位置が移動し、その記録位置が所定の位置に達したときに、記録線速度を変更するようにした技術が開発されている。
【０００８】
前述した記録線速度を所定の位置にて変更する機能を備えた光ディスク記録再生装置は、記録位置が外周側に移動するにしたがって線速度を高速側に変更するという制御動作が行われるが、ディスクの回転特性が例えばディスクの偏心により悪化すると、高速線速度一定による記録動作を行うことができないことになる。即ち、斯かる光ディスク記録再生装置では、記録速度の変更動作を行うときに、ディスクの回転特性等を検出し、特性が悪いと判断した場合には、記録線速度の高速側への変更動作を行わないで、それまでの線速度のままで記録動作を行うという技術が開発されている。
【０００９】
前述した記録線速度を所定の位置にて変更する機能を備えた光ディスク記録再生装置を１つのホスト機器に複数個接続し、このホスト機器より出力される命令信号によって、各光ディスク記録再生装置の記録動作を制御させると共に、このホスト機器より出力されるデータ信号を各光ディスク記録再生装置によって、各装置に装着されているディスクに同時に記録させるようにした場合、各光ディスク記録再生装置の記録線速度が相違すると記録動作を正確に行うことができないという問題がある。
【００１０】
本発明は、斯かる問題を解決することができる光ディスク記録再生装置の記録制御方法を提供しようとするものである。
【００１１】
【課題を解決するための手段】
本発明の請求項１に係る光ディスク記録再生装置の記録制御方法は、１台のホスト機器に接続されていると共に同一のデータ信号をディスクに記録し、且つ、記録位置が該ディスクの所定の位置に移動したときに記録線速度を高速側へ変更するように構成された複数の光ディスク記録再生装置の記録制御方法であって、前記記録位置が前記ディスクの前記所定の位置に移動したときに、各光ディスク記録再生装置の前記記録線速度を前記高速側へ変更可能か否かを判定させ、該記録線速度が最も遅い光ディスク記録再生装置の機能に合わせて全ての光ディスク記録再生装置の記録動作を制御させることを特徴とする。
【００１２】
【発明の実施の形態】
図１は、本発明に係る光ディスク記録再生装置の一実施の形態を示すブロック図である。同図において、１は、ディスクへの信号の記録動作等を制御するホスト機器、２は、第１光ディスク記録再生装置であり、ホスト機器１によって動作が制御されると共に記録信号が一旦記憶されるバッファ用ＲＡＭ３が接続されている。また、斯かる第１光ディスク記録再生装置２は、バッファ用ＲＡＭ３に記憶されている記録信号の量が所定値すなわち記録中断設定値以下になるとディスクへの記録動作を一旦中断させ、バッファ用ＲＡＭ３に記憶されている記録信号の量が所定値すなわち記録再開設定値になるとディスクへの記録動作を再開させる機能を備え、また、記録位置が所定の位置まで移動すると記録動作を中断させて記録線速度の変更動作を行い、記録線速度の変更動作が行われたときに記録動作を再開させるという速度変更機能を備えている。
【００１３】
前述した光ディスク記録再生装置における記録線速度の変更動作について説明する。ディスクの内周側において、例えば、規定の線速度の１６倍の記録線速度にて記録動作を開始すると次第に記録位置が外周側へ移動する。そして、記録位置が２０倍の線速度一定にて記録動作を行うことができる位置まで移動すると、記録動作を中断させると共に、記録された信号の記録特性やディスクの回転特性を検出することによって、２０倍の線速度一定による記録動作を行うことができるか否かの判定動作を行う。
【００１４】
斯かる判定動作によって、２０倍の線速度一定による記録動作を行うことができると判定された場合には、ディスクの回転速度を高速である２０倍の線速度一定の状態に変更する制御動作が行われると共に、斯かる変更動作が行われると、ディスクに信号を記録させる動作が開始される。斯かる制御動作が行われる結果、光ディスク記録再生装置は、２０倍の線速度一定の状態にて記録動作を行うことになる。斯かる記録線速度の変更動作は、記録中断動作が行われたときに、高速側への速度変更動作を行うことができると判定された場合である。斯かる判定動作によって、速度変更をすることができないと判定された場合には、それまで行われていた線速度すなわち１６倍の線速度一定の状態にて、記録動作が再開されることになる。
【００１５】
前述した記録速度の変更動作によって２０倍の線速度一定による記録動作が開始され、その記録位置が２４倍の線速度一定にて記録動作を行うことができる位置まで移動すると、前述した制御動作が同様に行われることになるので、その説明は省略する。
【００１６】
４は、前述した第１光ディスク記録再生装置２と同一の機能を備えていると共にバッファ用ＲＡＭ５が接続されている第２光ディスク記録再生装置であり、第１光ディスク記録再生装置２と共にＳＣＳＩケーブル６によってホスト機器１に接続されている。また、ホスト機器１より出力される記録命令信号によって、第１光ディスク記録再生装置２および第２光ディスク記録再生装置４の動作が制御され、且つ、ホスト機器１より出力されるデータ信号をディスクに記録させるように構成されている。
【００１７】
各光ディスク記録再生装置２，４は、ホスト機器１より記録動作を行うための命令信号が入力されると、各装置に装着されているディスクがデータ信号の記録動作を行うことができるディスクであるか否かの判定動作、記録位置の設定動作および各ディスクの記録特性に対して最も適したレーザ出力にする調整動作を行うように構成されている。また、斯かる構成において、ホスト機器１より記録動作を開始させるための信号を受信すると、各光ディスク記録再生装置２，４は、ホスト機器１に対して記録可能状態になったことを示す信号を出力するように構成されている。
【００１８】
斯かる構成において、ホスト機器１より各光ディスク記録再生装置２，４に対して出力される命令信号は、各光ディスク記録再生装置２，４に付与されている識別コードと組み合わせられて出力されるように構成されている。このように、識別コードを付与することによって、ホスト機器１は、接続されている各光ディスク記録再生装置を区別して個々に切り換え信号等の命令信号を出力することができる。同様に、各光ディスク記録再生装置２，４より出力される記録可能状態になったことを示す信号にも、識別信号が付与されるように構成されている。
【００１９】
また、ホスト機器１より出力される記録命令信号に基づいて、第１光ディスク記録再生装置２および第２光ディスク記録再生装置４は、ホスト機器１より送信されるデータ信号の記録動作を開始し、同一の記録位置において記録速度の変更動作を行うが、このときに、記録速度の高速側への変更が可能か否かの判定動作を行い、その判定結果をホスト機器１に対して出力するように構成されている。そして、第１光ディスク記録再生装置２および第２光ディスク記録再生装置４の両方とも高速側への変更が可能であると判定された場合には、高速側への速度変更動作が行われたのちに記録動作を再開させるように、また、何れか一方の光ディスク記録再生装置が速度変更不可と判定された場合には、両光ディスク記録再生装置とも速度変更されないで記録中断前まで行われていた記録速度による記録動作を開始させるように構成されている。
【００２０】
以上の如く、本発明は構成されている。次に動作について説明する。ホスト機器１に接続されている光ディスク記録再生装置２，４の個々の制御動作は、ホスト機器１より出力される動作切換のための信号に各記録再生装置に付与されている識別信号を付加することにより行われる。光ディスク記録再生装置２，４の個々の制御動作は、動作切換のための信号に識別信号を付加することによって行われるので、その説明については省略する。
【００２１】
次に、ホスト機器１より出力されるデータ信号を、ホスト機器１に接続されている光ディスク記録再生装置２，４によって同時に記録させる場合の動作について説明する。この場合、まずホスト機器１より第１光ディスク記録再生装置２および第２光ディスク記録再生装置４に対して、識別符号が付加された記録命令信号が出力される。
【００２２】
斯かる記録命令信号を各光ディスク記録再生装置２，４が受けると、各光ディスク記録再生装置２，４が記録動作を開始するための動作すなわち各装置に装着されているディスクがデータ信号の記録動作を行うことができるディスクであるか否かの判定動作、記録位置の設定動作および各ディスクの記録特性に対して最も適したレーザ出力にする調整動作を行う。
【００２３】
斯かる動作を行い、その動作が終了すると、各光ディスク記録再生装置２，４よりホスト機器１に対して記録可能状態になったことを示す信号が出力される。斯かる信号がホスト機器１に入力されると、その信号に含まれる識別コードによって、どの光ディスク記録再生装置が記録可能状態になったかを認識することができる。斯かる認識動作により、光ディスク記録再生装置２，４が記録可能状態になったものと認識されると、ホスト機器１より、記録開始信号と共に記録信号であるデータ信号が、各光ディスク記録再生装置２，４に対して出力される。
【００２４】
斯かる信号が各光ディスク記録再生装置２，４に入力されると、各光ディスク記録再生装置２，４に組み込まれている光学式ピックアップが、各ディスク毎に設定される信号の記録位置に移動し、データ信号の記録動作が開始されるが、斯かるデータ信号の記録動作は、各光ディスク記録再生装置２，４に組み込まれている制御回路による制御動作によって行われることになる。ホスト機器１より出力されるデータ信号は、第１光ディスク記録再生装置２に接続されているバッファ用ＲＡＭ３に一旦記憶されると共に、記録速度に対応した制御動作によって、バッファ用ＲＡＭ３から読み出されてディスクに記録されることになる。また、同様に、第２光ディスク記録再生装置４に接続されているバッファ用ＲＡＭ５に一旦記憶されると共に、記録速度に対応した制御動作によって、バッファ用ＲＡＭ５から読み出されてディスクに記録されることになる。
【００２５】
前述した動作によって、第１光ディスク記録再生装置２および第２光ディスク記録再生装置４の記録動作が開始されるが、記録位置が記録線速度を変更する位置に達すると、第１光ディスク記録再生装置２および第２光ディスク記録再生装置４とも、記録速度を変更するための制御動作が行われる。斯かる記録速度を変更するための制御動作は、まずディスクへの記録動作を中断させる制御動作が各光ディスク記録再生装置２，４にて行われる。
【００２６】
斯かる動作によって、ディスクへの記録動作が中断されると、中断前にディスクに記録されている信号の再生動作を行い、再生される信号に基づいて、記録特性の検出動作やスピンドルモータのサーボ特性を検出することにより、ディスクの回転特性の検出動作を行う。斯かる検出動作によって、記録速度の高速側への変更が可能か否かの判定動作を行い、その判定結果をホスト機器１に対して出力する。そして、第１光ディスク記録再生装置２および第２光ディスク記録再生装置４の両方とも高速側への変更が可能であると判定された場合には、高速側への速度変更動作が行われたのちに、記録動作を再開させる制御動作が行われる。
【００２７】
そして、前述した判定動作によって、何れか一方の光ディスク記録再生装置が速度変更不可と判定された場合には、両光ディスク記録再生装置とも速度変更をさせずに、記録中断前まで行われていた記録速度による記録動作を開始させるための制御動作が行われる。
【００２８】
前述したように記録速度を変更させる場合の記録再開動作および記録速度を変更させない場合の記録再開動作は行われるが、何れの記録再開動作も、記録中断前にディスクに記録されている信号と、バッファ用ＲＡＭ３，５に記憶されている記録データ信号とが、連続して記録されるように行われる。斯かる記録動作の中断再開動作は、バッファアンダーランを防止するために行われる周知の記録中断再開動作と同様に行うことができるので、その詳細については省略する。
【００２９】
前述した制御動作によってデータ信号の記録動作が終了すると、各光ディスク記録再生装置２，４より終了信号がホスト機器１に対して送出され、ホスト機器１は、データ信号の記録動作が終了したことを認識することができる。斯かる認識動作が行われると、ホスト機器１より各光ディスク記録再生装置２，４に対して記録動作を終了させるための命令信号が出力され、各々光ディスク記録再生装置２，４は、停止状態に復帰される。
【００３０】
なお、本実施の形態では、記録動作を開始するための動作すなわち各装置に装着されているディスクがデータ信号の記録動作を行うことができるディスクであるか否かの判定動作、記録位置の設定動作および各ディスクの記録特性に対して最も適したレーザ出力にする調整動作が終了したときに、ホスト機器１に対して、記録可能状態になったことを示す信号を出力させるようにしたが、光学式ピックアップが記録位置に移動したときに、記録可能状態になったことを示す信号を出力させるようにすることもできる。また、本実施の形態では、ホスト機器１に接続される光ディスク記録再生装置の数が２つの場合について説明したが、その数は限定されるものではない。
【００３１】
【発明の効果】
以上の如く、請求項１記載の発明によれば、１台のホスト機器に接続されていると共に同一のデータ信号をディスクに記録し、且つ、記録位置がディスクの所定の位置に移動したときに記録線速度を高速側へ変更するように構成された複数の光ディスク記録再生装置の記録制御方法であって、記録位置がディスクの所定の位置に移動したときに、各光ディスク記録再生装置の記録線速度を高速側へ変更可能か否かを判定（検出）させ、記録線速度が最も遅い光ディスク記録再生装置の機能に合わせて全ての光ディスク記録再生装置の記録動作を制御させるので、同一データ信号の記録動作を複数の光ディスク記録再生装置において支障なく正確に行うことができる。
【００３２】
請求項２記載の発明によれば、各光ディスク記録再生装置の記録線速度の高速側への変更が可能か否かの判定動作を、記録線速度を変更するために行われる記録中断時に行うので、各光ディスク記録再生装置の実際の状況に合わせた制御動作を行うことができるという利点を有している。
【００３３】
請求項３記載の発明によれば、少なくとも何れか１つの光ディスク記録再生装置に対して記録線速度の変更が不可であると判定されたときに、全ての光ディスク記録再生装置の記録線速度を変更することなく記録動作を再開させるので、確実な記録動作を行うことができる。
【図面の簡単な説明】
【図１】  本発明に係る光ディスク記録再生装置の一実施の形態を示すブロック図である。
【符号の説明】
１      ホスト機器
２      第１光ディスク記録再生装置（光ディスク記録再生装置）
３，５ バッファ用ＲＡＭ
４      第２光ディスク記録再生装置（光ディスク記録再生装置）
６ ＳＣＳＩケーブル
【図１】
0003796141.tif 000002